(57)【要約】【課題】洗濯時の洗液浸透および脱水性に優れた上衣を得ること。【解決手段】表地と裏地の間に中綿を有する上衣において、該上衣が液浴洗濯に供された際に、該上衣の一部分に通水あるいは通気を積極的に可能とするための孔が設けられてなることを特徴とする上衣。【選択図】図１
2005036323.tif 000002
【特許請求の範囲】
【請求項１】
表地と裏地の間に中綿を有する上衣において、該上衣が液浴洗濯に供された際に、該上衣の一部分に通水あるいは通気を積極的に可能とするための孔が設けられてなることを特徴とする上衣。
【請求項２】
前記裏地の通気量が、５〜３０ｃｃ／ｃｍ２  ／ｓｅｃのものであることを特徴とする請求項１に記載の上衣。
【請求項３】
前記通水あるいは通気のための孔が、前中心の衿付け近傍、前中心の裾部近傍、脇裾近傍、袖口近傍、前身頃身返しの衿付け近傍、前身頃身返しの裾部近傍、身頃裏地の脇裾部近傍、袖裏地の袖口近傍のうち少なくとも１箇所以上に設けられてなることを特徴とする請求項１または２に記載の上衣。
【請求項４】
前記通水あるいは通気のための孔が、アイレットからなることを特徴とする請求項１〜３のいずれかに記載の上衣。
【請求項５】
前記通水あるいは通気のための孔が、間欠縫いからなるものであることを特徴とする請求項１〜３のいずれかに記載の上衣。
【請求項６】
前記中綿は裏地側に縫い止められているものであることを特徴とする請求項１〜５のいずれかに記載の上衣。
【発明の詳細な説明】
【０００１】
【発明の属する技術分野】
本発明は、洗濯時の洗液浸透および脱水性に優れた上衣に関する。
【０００２】
【従来の技術】
従来、スキーウエアーやジャンパーなどの防寒具として使用される中綿入り上衣は、表地と裏地の間に中綿を有しているため、家庭での洗濯機による丸洗いが難しいとされ、一般的にはクリーニング店などの業者にてドライクリーニング処理されていた。
【０００３】
家庭での洗濯機を用いた丸洗いが難しいとされる理由として、一つめは洗濯液中に沈まずに浮いてしまうことがあげられる。これは、中綿入り上衣の構造に原因がある。
【０００４】
つまり、中綿入り上衣の表地としては防風性が求められるために一般的には密度の込んだ通気量の少ないものが使用される。
【０００５】
また、裏地は中綿の抜けを防止するために、これも密度の込んだもの、言い換えると通気性の少ないものが使用される。これらにより、表地と裏地の間、および中綿に含まれる空気が衣服外に出にくい構造となり、それが洗濯時に風船のようになるために洗液中に沈まないという現象を招く。
【０００６】
２つめの問題としては、通気性、言い換えると通水性が悪いため、洗濯中の洗液が浸透しにくいため内部の中綿まで洗浄されない、あるいは中に染み込んだ洗液がすすがれにくい、さらには、染み込んだ洗液または水が内部に残留した状態で脱水されると脱水槽のバランスが崩れ、洗濯機に異常振動を発生させ、洗濯機の破損を招くなどが挙げられる。
【０００７】
これらの問題点を改善するために、裏地より密度の粗い組織の生地を、裏地と表地の間に介することにより水はけを良くした衣服が見られる（特許文献１）。
【０００８】
また、脇縫い目近傍に通水孔を設けた防寒衣服が見られる（特許文献２）。
【０００９】
また、中綿を介在させた衣服において、その裾や袖口部分などで、中綿端部を折り返し部分に抱持縫着させないことにより、洗濯時のその部分の中綿切れを発生しない丸洗い可能なウォッシャブル衣服が見られる（特許文献３）。
【００１０】
しかしながら、特許文献１に記載されている衣服は裾部分に密度の粗い生地を使用するために、中綿入りジャンパーの場合は中綿抜けの問題があった。
【００１１】
また、特許文献２に記載されている衣服では通水孔がボタンホールのような形状であるために、中綿が見える、または綿が孔から出てくるなどの問題があった。
【００１２】
また、特許文献３に記載されている衣服では、洗濯時の中綿切れは改善されるものの、表地、裏地などは従来のままのため、洗濯時に浮きが発生する、洗液の浸透および脱水性が悪いなどの問題があった。
【００１３】
【特許文献１】実開昭５４−１５１５０１号公報
【００１４】
【特許文献２】実開昭６０−１８１３２５号公報
【００１５】
【特許文献３】特許第３３９０３７１号公報
【００１６】
【発明が解決しようとする課題】
本発明の目的は、洗濯時の洗液浸透および脱水性に優れた上衣を提供することにある。
【００１７】
【課題を解決するための手段】
本発明は、上記の課題を解決するため、以下の（１）〜（６）の構成を採用するものである。
（１）表地と裏地の間に中綿を有する上衣において、該液浴洗濯に供された際に、該上衣の一部分に通水あるいは通気を積極的に可能とするための孔が設けられてなることを特徴とする上衣。
（２）前記裏地が、通気量５〜３０ｃｃ／ｃｍ２  ／ｓｅｃのものであることを上記（１）記載の上衣。
（３）前記通水あるいは通気のための孔が、前中心の衿付け近傍、前中心の裾部近傍、脇裾近傍、袖口近傍、前身頃身返しの衿付け近傍、前身頃身返しの裾部近傍、身頃裏地の脇裾部近傍、袖裏地の袖口近傍のうち少なくとも１箇所以上に設けられてなることを特徴とする上記（１）または（２）記載の上衣。
（４）前記通水あるいは通気のための孔が、アイレットからなることを特徴とする上記（１）〜（３）のいずれかに記載の上衣。
（５）前記通水あるいは通気のための孔が間欠縫いからなることを特徴とする上記（１）〜（３）のいずれかに記載の上衣。
（６）前記中綿は裏地側に縫い止められているものであることを特徴とする上記（１）〜（５）のいずれかに記載の上衣。
【００１８】
【発明の実施の形態】
以下に図面を参照しつつ、本発明の上衣を詳細に説明する。
【００１９】
図１〜６は、本発明にかかる上衣の一実施例を示したものであり、防寒衣などの中綿入りジャンパーと、それら部位の詳細を示したものである。
【００２０】
図１は、本発明における上衣の一例を示すものであり、表地側から見た正面図である。
【００２１】
図２は、本発明にかかる図１の上衣を裏返し、裏地側から見た正面図であり、図３は本発明の上衣における図２のＡ−Ａ‘の断面図であり、図４はアイレットを表地側に打ち付けた部位の断面図であり、図５は間欠縫いの一例を示したものであり、図６はアイレットの一種であるメッシュアイレットの正面形状の一例を示したものである。
【００２２】
図１において、１は衿付け、２は前中心、３は裾、４は脇、５は袖口を示しており、図２の１０は前身頃身返し、１１は身頃裏地、１２は袖裏地を示している。
【００２３】
図１の６〜９および図２の１３〜２０は、液浴洗濯に供された際に、通水あるいは通気を積極的に可能とするための孔であり、６は前中心の衿付け近傍、７は前中心の裾部近傍、８は脇裾近傍、９は袖口近傍、１３、１７は前身頃身返しの衿付け近傍、１４、１８は前身頃身返しの裾部近傍、１５、１９は身頃裏地の脇裾部近傍、１６、２０は袖裏地の袖口近傍を示している。
【００２４】
これらの孔は、表地と裏地の間、および中綿に含まれる空気または水を衣服内からの排出、衣服外からの流入を容易にすることを目的に設けられている。
【００２５】
よって、これらの孔は、上衣の表面あるいは裏面であれば、いずれの場所に設けられていても効果が得られる。
【００２６】
ただし、従来の中綿入り上衣を洗濯したとき、浮きが生じやすい部位は衿付け１、裾３、袖口５であることから、６〜９あるいは１３〜２０のうちいずれか１箇所以上に設けることが好ましい。
【００２７】
これらの部位に孔を設けることにより、浮きの原因である表地と裏地の間に存在する空気を外部に出し、浮きを発生させない効果が得られる。
【００２８】
さらには、洗濯時に表地と裏地の間に浸透した洗液または水をスムーズに排出する効果も得られる。これにより、脱水時の洗濯機の異常振動を回避する効果も得られる。
【００２９】
なお、上衣および洗濯の特性より、洗濯中の浮きは、特に、袖部と裾部分に発生しやすい傾向にあるため、袖口近傍９、前中心裾部近傍７、あるいは袖裏地の袖口近傍１６、２０あるいは前身頃身返しの裾部近傍１４、１８に設けることがより好ましい。図２の１１、１２は裏地を示している。この裏地は通気量５〜３０ｃｃ／ｃｍ２  ／ｓｅｃであることが好ましい。
【００３０】
これは、通気量が５ｃｃ／ｃｍ２  ／ｓｅｃ未満であると、通水性があまり良くないため洗濯時に内部の中綿まで洗浄されない、あるいは中に染み込んだ洗液がすすがれにくい、さらには染み込んだ洗液が内部に残留した状態で脱水されると、脱水槽のバランスが崩れ、洗濯機に異常振動を発生させ、洗濯機の破損を招くおそれがあるからである。また、３０ｃｃ／ｃｍ２  ／ｓｅｃを越えると、通水性が良くなるため上記洗濯時の問題はなくなるが、中綿の単糸が裏地を通り抜けてしまう中綿抜けを発生しやすくなる。これらのことから、より好ましい裏地の通気量は１０〜２０ｃｃ／ｃｍ２  ／ｓｅｃである。なお、本発明でいう通気量とは以下の方法で測定したものである。
（通気量の測定方法）
フラジール型試験機を用い、つかみに試験片を取り付ける。加減抵抗器によって傾斜型気圧計が１．２７ｃｍ（０．５インチ）を示すように吸い込みポンプを調節する。この時もし垂直型気圧形が全く上昇しない場合は空気孔（オリフィス）を一段階小さいナンバーのものと取り替え、逆に、上昇しすぎる場合は一段階大きいナンバーの空気孔（オリフィス）と取り替える。そのときの垂直型油圧計の示す圧力を読みとり、その値と空気孔（オリフィス）の種類（９種類）とから試験器付属の通気量計算表によって試験片を通過する空気量（ｃｃ／ｃｍ２  ／ｓｅｃ）を求め、５枚の平均値で表す（小数点１桁まで）。
【００３１】
図３は、図１Ａ−Ａ′の断面図である。２１は表地、２２は中綿、１２は裏地で、２３は中綿止めステッチを示しており、中綿は裏地とのみ縫着されていることを示している。通常、中綿２２は表地２１に縫着される。この場合、中綿の厚みを縫い糸によって押さえつけた上に表地に縫い付けられるため、縫い付けられたステッチ部分と、それ以外の部分の厚み差が、縫い目シワとして表地に現れ、外観に悪影響を与える。この縫い目シワは、洗濯することにより、更に悪化する傾向にある。よって、図３に示す構造にすることにより、中綿を縫い付けるステッチが表地側に出ないために、縫い目シワが軽減される効果がある。
【００３２】
図４はアイレットを表地側に打ち付けた部位の断面図で、ちょうど図１の９の部位を示したものである。２１は表地、２２は中綿あるいは不織布、１２は裏地で２４はメッシュアイレットを示している。
【００３３】
本発明でいうアイレットとは、金属製で一組のキャップと受けからなるもので、これらの間に打ち付けようとする生地を配した後に上からキャップ、下から受けを専用の打ち機または手打ちによって打ち付ける。図６はアイレットの一種であるメッシュアイレットの一例を示したもので、２７は円形枠の中が金網状のもの、２８はパンチホール状のものである。アイレットの種類は特に問うものではなく、空気または水が容易に出入りするものであれば良い。ただし、通常のアイレットは金属製の枠のみのため、中の中綿が外から見える、または中綿が外に吹き出すなどの問題点もある。よって、枠の中に網状のものがあるメッシュアイレットを使用することがより好ましい。
【００３４】
図５は、間欠縫いの一例を示したもので図２の１８を拡大したものである。本発明でいう間欠縫いとは、通常連続で縫われる部分を一定距離にかけて縫わないことをいい、図で説明すると、２５、２５′は地縫いの縫い止まりで、２５と２５′の間２６は身返し１０と身頃裏地１１を縫い止めている地縫いがなく浮いた状態であることをいう。この２５と２５′の距離は、特に規定はないが、大きすぎると着用時に指が入る、または中綿が表から見える、あるいは中綿が外に吹き出してしまうおそれがあるので注意が必要である。
【００３５】
さらに、洗濯時の水流により浮いた部分に力がかかり、地縫いの縫い止まり２５、２５′に負荷が集中し、破れが発生するなどの恐れがある。よって、通水および通気の効果を損なわず、かつ、これらの問題が発生しにくい１〜２ｃｍ程度のものがより好ましい。
【００３６】
図２の１７〜２０は間欠縫いを表しており、１７は前身頃身返しの衿付け近傍、１８は前身頃身返しの裾部近傍、１９は身頃裏地の脇裾部近傍、２０は袖裏地の袖口近傍に間欠縫いを設けた例である。
【００３７】
【発明の効果】
本発明によれば、上述した構成により、洗濯時の洗液浸透および脱水性に優れた上衣を得ることができる。
【図面の簡単な説明】
【図１】本発明にかかるの上衣の一例を表地側から見た正面図である。
【図２】本発明にかかる図１の上衣を裏返し、裏地側から見た正面図である。
【図３】図２のＡ−Ａ′の断面図である。
【図４】アイレットを表地側に打ち付けた部位の断面図である。
【図５】間欠縫いの一例を示したものである
【図６】メッシュアイレットの正面形状の一例を示したものである。
【符号の説明】
１  衿付け
２  前中心
３  裾
４  脇
５  袖口
６  前中心衿付け近傍の孔
７  前中心裾部近傍の孔
８  脇裾近傍の孔
９  袖口近傍の孔
１０  前身頃身返し
１１  身頃裏地
１２  袖裏地
１３  前身頃身返し衿付け近傍の孔
１４  前身頃身返し裾部近傍の孔
１５  身頃裏地脇裾部近傍の孔
１６  袖裏地袖口近傍の孔
１７  前身頃身返し衿付け近傍の間欠縫い
１８  前身頃身返し裾部近傍の間欠縫い
１９  身頃裏地脇裾部近傍の間欠縫い
２０  袖裏地袖口近傍の間欠縫い
２１  表地
２２  中綿
２３  中綿止めステッチ
２４  アイレット
２５、２５′間欠縫いの地縫い縫い止まり
２６  間欠縫いの間欠部分
２７  金網タイプのメッシュアイレット
２８  パンチホールタイプのメッシュアイレット
【図１】
2005036323.tif 000003
【図２】
2005036323.tif 000004
【図３】
2005036323.tif 000005
【図４】
2005036323.tif 000006
【図５】
2005036323.tif 000007
【図６】
2005036323.tif 000008